(57)【特許請求の範囲】
【請求項１】
一本の着付用帯体の三角折曲部を境として、帯巾を有し太鼓部を形成するための太鼓形成部と長手中央ラインを谷折して半巾とした胴部とを、直交状に折り畳んだ構成を備え、且つ、胴部を折り返してなる折返し部に環体を取着し、胴部の先端を手先部とした構成を備え、一組の上側捲着ベルトの各基端と下側ベルトを、前記三角折曲部近傍に取着し、前記下側ベルトと一組となる環体側ベルトを前記環体に取着し、上側捲着ベルトの各基端及び下側ベルトの基端を背面カバーで被覆し、着付用帯体を切断することなく縫着により構成した簡易着付用帯体において、
上側捲着ベルトの各基端及び下側ベルトの基端を取着するための連結手段を有する取付板を備え、
該取付板を三角折曲部と重なる位置に取着し、
取付板は、胴部を通すための帯通し手段を備え、
取付板における帯通し手段は、着付用帯体を通すためのループ部内空間を形成し且つ着付用帯体をガイドするループ部と、取付板を貫通し且つループ部内空間に連通する正面穴とを備えたことを特徴とする簡易着付用帯体。
【請求項２】
太鼓形成部を折畳んで縫着してなる太鼓部を備えたことを特徴とする請求項１記載の簡易着付用帯体。
【請求項３】
正面穴内へ嵌合可能なスペーサを備えたことを特徴とする請求項１又は２記載の簡易着付用帯体。
【請求項４】
取付板における連結手段は、弧状の長穴としたことを特徴とする請求項１、２又は３記載の簡易着付用帯体。
【発明の詳細な説明】
【技術分野】
【０００１】
本発明は、着物の着付け時における煩雑さを解消し、一人でも容易に着付けすることを可能とする簡易着付用帯体に関するものである。
【背景技術】
【０００２】
従来、着物の着付けは極めて特殊な技能を有する部分が多く、普段から着こなす回数を増やすように心掛けない限り、習得することは容易なものではない。
また、着付け教室等に長年通って習得するに至っても、普段から着物を着用する機会が少ない現在では習得してもすぐに忘れてしまうといったことも多く、着付けの習得は困難を要するのが現状である。
【０００３】
このような、問題を解決するものであって、着付けで最も難しい帯結びを簡略化して着物に対する煩わしさを解消する簡易着付け用女帯で、三角寄せ折り部を境にして直交状に折り畳み、垂直側が帯巾のままの太鼓形成部、水平側が半巾に二つ折りした胴巻部となり、太鼓形成部側を三角寄せ折り部の上に被さる方向に折り畳んで太鼓、タレ先及び太鼓の内側へ下方から折り返される折込み部に連続形成する一方、胴巻部を、その手先側に帯巾よりやや大きい長さの寸法の、太鼓と折込み部との間に差し込む折返し部が確保できる位置で、太鼓形成側と反対側に折り畳んで重ね合わせた後、三角寄せ折り部の裏側を通り越して、太鼓の横に飛び出させた手先の折り返し部を折り目部で太鼓両側縁から左右への食み出し巾とが、均等になるよう規制して太鼓の内側に直接対面する折込部と太鼓の間に差し込んだ後、太鼓で覆われた形となっている重なり部分、すなわち三角寄せ折り部の裏側に添設する胴巻部、その上の折り込み部、更にその上の折り返し部を重ね合わせたまま、同重なり部分の四隅を大きめのクリップで仮着すると共に、三角寄せ折り部の裏側に添設された胴巻部側から刺しピンを刺し通し、重なり各部を貫通して太鼓の内側に突出させた刺しピン先端尖鋭部を利用して帯締め中央を太鼓側において着脱自在に固定したものが公知である（例えば、特許文献１参照。）。
【０００４】
また、本出願人が先にした未公開発明として、一本の着付用帯体の三角折曲部を境として、帯巾を有し太鼓部を形成するための太鼓形成部と長手中央ラインを谷折して半巾とした胴部とを、直交状に折り畳んだ構成を備え、且つ、胴部を折り返してなる折返し部に環体を取着し、胴部の先端を手先部とした構成を備え、一組の上側捲着ベルトの各基端と下側ベルトを、前記三角折曲部近傍に取着し、前記下側ベルトと一組となる環体側ベルトを前記環体に取着し、上側捲着ベルトの各基端及び下側ベルトの基端を背面カバーで被覆し、太鼓形成部を折畳んで縫着してなる太鼓部とし、着付用帯体を切断することなく縫着により構成した簡易着付用帯体がある（例えば、特許文献２参照。）。
【０００５】
【特許文献１】特許第３４３１９９８号
【特許文献２】特願２００７−１２４１０７号
【発明の開示】
【発明が解決しようとする課題】
【０００６】
上記特許文献１に係る発明によれば、従前までの太鼓結びのように、胴巻部を着る人の胴に二回も三回も巻き付けた上で手先部分を肩に掛け、太鼓形成部を折り畳み、その都度着付け紐で仮固定しながら太鼓を作り上げていくという、伝統的な難しい着付けから完全に開放され、誰の手も借りずに一人で簡単、確実に綺麗な太鼓結びの着付けを可能とするものである。
【０００７】
従前では、着付け時に胴巻部を着る人の胴に二回も三回も、しっかりと巻き付けた上で太鼓を形成していたのに対し、前記特許文献１においては、胴に一周させるだけの構成をとっており、胴巻部を着る人の腹部の前を通してそのまま端部を太鼓結び部分と背中との間に横から差し入れ、該差し入れた側に垂れた帯締めの端部を、略水平にして片方の手で引きながら、他方の手で、差し入れた胴巻部の端部を更に引き込んで胴への巻き付け具合を絞り込んだ後に、帯締めの両端を前で結んで着付けが完了するものである。
【０００８】
しかし、当該特許文献１に係る発明の構成においては、帯締めの結びが不十分であっては、太鼓内側上方における装着空間に装着される枕のみで、着付け用女帯を支持するようになり、ずれ落ちてしまう虞もある。また、太鼓結び部分の四隅をクリップで仮着させる構成であるとともに、太鼓部と手先となる折返し部も同時に刺しピンで固定させるものであるが、帯締めを締めた後において、クリップの取り外しを忘れてしまう虞もあり、その際には、非常に体裁の悪いものとなってしまう。更に、着付け後において着物を脱ぐ際に、着付け用女帯を取り外してしまうと、太鼓部と手先となる折返し部は刺しピンにて固定されているものの太鼓部の形状が崩れてしまうので、着付けを行う都度、着付け用女帯を折り畳まなければならないという虞もある。
【０００９】
次に、特許文献２に係る発明は、上記特許文献１に係る発明の問題点を解消するものであり、着物の着付け時における煩雑さを解消し、一人でも容易に着付けすることを可能とするとともに、使用後においても太鼓部の形状を崩すことなく、そのままの状態で収納又は保管しておくことができる簡易着付用帯体を提供するものである。
【００１０】
また、上記特許文献２に係る発明は、半巾にした前記胴部及び前記手先部における帯模様を有しない裏面同士の幅方向の端片を縫着し、前記太鼓形成部及び前記胴部が直交した状態で、前記太鼓形成部を前記胴部にて下から覆い、折り返した反対側を前記手先部とし、三角折曲部を上から覆い、枕装着部を確保しながら垂れ部を有するよう前記太鼓形成部を折り畳んで、太鼓部内側面にて縫着して太鼓部を形成し、前記手先部を前記太鼓部内側面の内部に折り返すとともに、前記太鼓部内側面の他端部にて縫着し、前記胴部の端部及び前記太鼓部の裏側における前記胴部面上に止着手段を有し、前記太鼓部裏側における前記胴部の上端縁に、腹部へ巻き付けて止着する為の止着手段を有する仮止部材を縫着したので、着用者は、着物を着用する際、着用者における腹部に前記仮止部材を止着させることで、前記簡易着付用帯体を腹部に仮着することができる。その後、前記簡易着付用帯体は腹部に仮着されていることから、着付けの初心者であっても、前記簡易着付用帯体における前記胴部を腹部に巻き、前記太鼓部の裏側における前記胴部面上の面ファスナーにて止着するか、又は前記紐部を着用者の腹部前方にて締結して止着することで、容易に前記簡易着付用帯体を取り付けることができる点で優れる。
【００１１】
また、着装後においては、従来と同様にして帯締め、枕等を取り外した後、前記仮止部材、及び前記太鼓部の裏側における前記胴部面上の前記面ファスナーを外すか、又は前記仮止部材、及び前記紐部の締結部を外すだけで、前記着物から前記簡易着付用帯体を容易に取り外すことができる。これによって、着装時においては、前記仮止部材及び前記胴部によって、二重に着用者の腹部に止着されていることから、後に取り付ける帯締めが弛むようなことがあっても、前記簡易着付用帯体はズレにくくなる。
【００１２】
また、前記簡易着付用帯体は、所要箇所が縫着されている為、前記着物から前記簡易着付用帯体を取り外した後においても、全体の形状は崩れることなく、次回の使用時までそのままの状態で収納又は保管しておくことができる。
更に、前記着付用帯体を切断することなく折り畳んで、前記太鼓部を形成し所要箇所を縫着して、前記簡易着付用帯体を形成していることから、縫製箇所の糸をほどくことによって、再び一本の前記着付用帯体へと戻すことができるので、前記着付用帯体の商品価値を下げることはない。
また、前記着付用帯体を折り畳んで所要箇所を縫着する構成である為、タンス等に保管されてある従来からの帯にも適用することができるもので、帯の種類、模様等が異なる場合であっても、体裁がよくなるよう模様等を合わせながら着付用帯体を折り畳んで所要箇所を縫着して簡易着付用帯体を構成することができるので、新しく着付用帯体を購入する必要もなく、また、初心者でも容易に着物を着付けすることができるようになることから、着物全般の普及にも繋がる利点を有する。
【００１３】
特許文献２に係る発明は、上記したように、切断することなく折り畳んで、前記太鼓部を形成し所要箇所を縫着して、前記簡易着付用帯体を形成していることから、縫製箇所の糸をほどくことによって、再び一本の前記着付用帯体へと戻すことができるが、仮止部材や紐部を縫着する際には、相当量の縫着糸を用いて頑強に固定する必要があることから、製作に於いては基本的には着付用帯体の商品価値を大きく下げることはないが、繰り返しの使用によって縫着部分に負荷が集中したり、縫着糸を切断して取外す際に縫着部分に負荷が集中することによって、当該縫着部分の形が崩れたり、傷んだりする虞がある。
【００１４】
また、折り畳みと縫製の繰り返しの工程によって完成品を製造するには、縫製のみでは手間がかかる点で欠点がある。
【００１５】
更に、特許文献２に係る発明では、太鼓部の大きさ、手先の位置、垂れ部の長さ等については予め決められており、その長さの調節を行えなかったため、着付用帯の装着自体は面倒だけれども太鼓部の大きさについては調節をしたいといったニーズには応えることができないものであった。
【００１６】
本発明は、以上の事情に鑑みてなされた発明であり、本出願人が先にした特許文献２に係る発明（即ち、縫着糸を切断することで一本の帯体に復元可能な簡易着付用帯体）において未解決であった、特に仮止部材や紐部（本願発明における上側捲着ベルト及び下側ベルト）の基端側の連結部分等の強固に縫着を要する箇所を形成したことによる着付用帯体の傷み等を防止し、且つ、製作容易な簡易着付用帯体の提供を課題とする。
【００１７】
また本発明は、上記課題、即ち、仮止部材や紐部（本願発明における上側捲着ベルト及び下側ベルト）の基端側の連結部分等の強固に縫着要する箇所を形成したことによる着付用帯体の傷み等を防止し、且つ、製作容易な簡易着付用帯体の提供に加えて、太鼓部の大きさや垂れ部、手先部の長さを好みに合せて調節することができる簡易着付用帯体を提供することを、課題とする。
【課題を解決するための手段】
【００１８】
本発明は、一本の着付用帯体の三角折曲部を境として、帯巾を有し太鼓部を形成するための太鼓形成部と長手中央ラインを谷折して半巾とした胴部とを、直交状に折り畳んだ構成を備え、且つ、胴部を折り返してなる折返し部に環体を取着し、胴部の先端を手先部とした構成を備え、一組の上側捲着ベルトの各基端と下側ベルトを、前記三角折曲部近傍に取着し、前記下側ベルトと一組となる環体側ベルトを前記環体に取着し、上側捲着ベルトの各基端及び下側ベルトの基端を背面カバーで被覆し、着付用帯体を切断することなく縫着により構成した簡易着付用帯体において、上側捲着ベルトの各基端及び下側ベルトの基端を取着するための連結手段を有する取付板を備え、該取付板を三角折曲部と重なる位置に取着し、取付板は、胴部を通すための帯通し手段を備え、取付板における帯通し手段は、着付用帯体を通すためのループ部内空間を形成し且つ着付用帯体をガイドするループ部と、取付板を貫通し且つループ部内空間に連通する正面穴とを備えたことを特徴とする簡易着付用帯体を、課題を解決するための手段とする。
【００１９】
また、本発明は、上記構成において、太鼓形成部を折畳んで縫着してなる太鼓部を備えた簡易着付用帯体を、課題を解決するための手段とする。
【００２０】
更に、本発明は上記いずれかの発明の構成において、前記正面穴内へ嵌合可能なスペーサを備えた簡易着付用帯体を、課題を解決するための手段とする。
【００２１】
また、本発明は上記いずれかの発明の構成において、取付板における連結手段は、弧状の長穴とした簡易着付用帯体を、課題を解決するための手段とする。
【発明の効果】
【００２２】
本願の請求項１に係る発明によれば、一本の着付用帯体の三角折曲部を境として、帯巾を有し太鼓部を形成するための太鼓形成部と長手中央ラインを谷折して半巾とした胴部とを、直交状に折り畳んだ構成を備え、且つ、胴部を折り返してなる折返し部に環体を取着し、胴部の先端を手先部とした構成を備え、一組の上側捲着ベルトの各基端と下側ベルトを、前記三角折曲部近傍に取着し、前記下側ベルトと一組となる環体側ベルトを前記環体に取着し、着付用帯体を切断することなく縫着により構成した簡易着付用帯体において、上側捲着ベルトの各基端及び下側ベルトの基端を取着するための連結手段を有する取付板を備え、該取付板を三角折曲部と重なる位置に取着したことから、上側捲着ベルトの基端及び下側ベルトの基端を取付板に対して連結しておくことで、着付け用帯体に対して直接前記上側捲着ベルト及び下側ベルトを縫着せず、着付け用帯体の特定箇所への集中的な負荷の発生を防止するから、着付用帯体の傷み等を防止し、且つ、製造容易な簡易着付用帯体とすることができる。
【００２３】
また、予め太鼓形成部を折畳まない状態で簡易着付用帯体を形成することによって、着用者が上側捲着ベルトを用いて着付用帯体を取着した状態で、太鼓形成部、垂れ部、手先部の折り畳みを個別に行うことができるため、着付用帯体の装着自体は容易であれば好ましいが、太鼓部の大きさ等については調節をしたいといったニーズに適合し、自由に太鼓部の大きさや垂れ部の長さ、手先部の長さ等を好みに応じて調節することができる。
【００２４】
一本の着付用帯体の三角折曲部を境として、帯巾を有し太鼓部を形成するための太鼓形成部と長手中央ラインを谷折して半巾とした胴部とを、直交状に折り畳んだ構成を備え、且つ、胴部を折り返してなる折返し部に環体を取着し、胴部の先端を手先部とした構成を備え、一組の上側捲着ベルトの各基端と下側ベルトを、前記三角折曲部近傍に取着し、前記下側ベルトと一組となる環体側ベルトを前記環体に取着し、上側捲着ベルトの各基端及び下側ベルトの基端を背面カバーで被覆し、太鼓形成部を折畳んで縫着してなる太鼓部を備え、着付用帯体を切断することなく縫着により構成した簡易着付用帯体において、上側捲着ベルトの各基端及び下側ベルトの基端を取着するための連結手段を有する取付板を備え、該取付板を三角折曲部と重なる位置に取着したことから、上記請求項１に係る発明と同様に、上側捲着ベルトの基端及び下側ベルトの基端を取付板に対して連結しておくことで、着付け用帯体に対して直接前記上側捲着ベルト及び下側ベルトを縫着せず、着付け用帯体の特定箇所への集中的な負荷の発生を防止するから、着付用帯体の傷み等を防止し、且つ、製造容易な簡易着付用帯体とすることができる。
【００２５】
また、本発明において、太鼓形成部、垂れ部、手先部の折り畳みと縫合について縫着しない構成とすることで、上側捲着ベルト、下側ベルト、環体側ベルトの機能はそのまま使用できるだけでなく、太鼓形成部、垂れ部、手先部の折り畳みを個別に行うことができるため、着付用帯の装着自体は容易に行うことができ、且つ、太鼓部の大きさについては調節をしたいといったニーズに適合することができる。
【００２６】
そして、取付板における帯通し手段は、着付用帯体を通すためのループ部内空間を形成し且つ着付用帯体をガイドするループ部と、取付板を貫通し且つループ部内空間に連通する正面穴とを備えたことから、ループ部によって着付用帯体を確実にガイドしながら、着付用帯体に対して取付板をスライドさせることができる。
また、着付用帯体の生地が薄く、ループ部を通すだけでは不十分な状態においては、例えば、正面穴から着付用帯体を通し、ループ部の外周側へ着付用帯体を巻きつけ、再び正面穴から着付用帯体を導出する構成（例えば、図１７参照。）として、取付板の位置決めを行うことができる。
【００２７】
また、取付板は、胴部を通すための帯通し手段を備えたことから、着付用帯体の胴部を、取付板の帯通し手段に通すことで、取付板をスライドさせて取着することで、簡単に上側捲着ベルト、下側ベルトの位置決めを行うことができ、上側捲着ベルト及び下側ベルトの取付けを容易とすることができ、更に製造を容易とすることができる。
【００２８】
また、請求項２に係る発明によれば、請求項１に係る発明の構成に加え、太鼓形成部を折畳んで縫着してなる太鼓部を備えたことで、太鼓部の形成等を行うことを要せず、簡単に着付用帯体を装着することができる利点を確保することができる。
【００２９】
請求項３に係る発明によれば、上記請求項１に係る発明又は請求項２に係る発明の構成に加えて、正面穴内へ嵌合可能なスペーサを備えたことから、ループ部へ胴部を通した後、スペーサ取付穴へスペーサを嵌合することで、スペーサと取付板とによって、胴部が強固に挟持されて、縫合することなく実用に耐え得る上側捲着ベルト及び下側ベルトの取付を行うことができる。
【００３０】
請求項４に係る発明によれば、取付板による上記種々の作用効果を備えた上で、取付板の連結手段が、弧状の長穴としたことから、上側捲着ベルト及び下側ベルトの基端が長穴に沿って滑ることが可能となるため、該上側捲着ベルト及び下側ベルトの基端の引っ張られる方向にかかわらず皺を生じず、着用者の体型、体格に最適な状態で上側捲着ベルト及び下側ベルトを装着することができる。
【発明を実施するための最良の形態】
【００３１】
本発明は、一本の着付用帯体の三角折曲部を境として、帯巾を有し太鼓部を形成するための太鼓形成部と長手中央ラインを谷折して半巾とした胴部とを、直交状に折り畳んだ構成を備え、且つ、胴部を折り返してなる折返し部に環体を取着し、胴部の先端を手先部とした構成を備え、一組の上側捲着ベルトの各基端と下側ベルトを、前記三角折曲部近傍に取着し、前記下側ベルトと一組となる環体側ベルトを前記環体に取着し、上側捲着ベルトの各基端及び下側ベルトの基端を背面カバーで被覆し、着付用帯体を切断することなく縫着により構成した簡易着付用帯体において、
上側捲着ベルトの各基端及び下側ベルトの基端を取着するための連結手段を有する取付板を備え、該取付板を三角折曲部と重なる位置に取着し、太鼓形成部を折畳んで縫着してなる太鼓部を備え、取付板は、胴部を通すための帯通し手段を備え、取付板における帯通し手段は、着付用帯体を通すためのループ部内空間を形成し且つ着付用帯体をガイドするループ部と、取付板を貫通し且つループ部内空間に連通する正面穴とを備え、該正面穴内へ嵌合可能なスペーサを備え、取付板における連結手段は、弧状の長穴とした簡易着付用帯体としたことにより、取付板が直接上側捲着ベルト及び下側ベルトの伸張に伴う負荷を受けるため、着付用帯体の生地を傷めることがなく、取付板における帯通し手段にスペーサ取付穴とループ部によって胴部を挟持して縫着することなく、取付板を固定することができ、更に取付板の連結手段が弧状の長穴としてあるため、該長穴に装着される上側捲着ベルト及び下側ベルトの基端が引張方向に応じて長穴に沿ってスライドするため、上側捲着ベルト及び下側ベルトの基端が皺にならず、着用者の体型、体格に最適な状態で上側捲着ベルト及び下側ベルトを装着することができる、優れた簡易着付用帯体を実現した。
【実施例】
【００３２】
本発明の実施例として以下に、実施例１及び実施例２を示す。尚、実施例１に係る簡易着付用帯体Ｔは実施例２に係る簡易着付用帯体Ｔを製作する過程で完成する。即ち、実施例１に更に加工を行うことによって実施例２に係る簡易着付用帯体Ｔを得ることができる。尚、本発明は下記に示す実施例に限定されるものではない。
【００３３】
図１は本発明の実施例１に係る簡易着付用帯体Ｔを構成する着付用帯体１の折畳み箇所を示す正面図、図２は同実施例１に係る簡易着付用帯体Ｔにおける着付用帯体１を、太鼓形成部と半巾とした胴部とを直交状に折り畳んだ状態とした正面図、図３は同実施例１に係る簡易着付用帯体Ｔにおける着付用帯体１の三角折曲部及び胴部を上方へ反転させた状態を示す説明図、図４は同実施例１に係る簡易着付用帯体Ｔにおける胴部を長手方向に折り返し、手先側から胴部へ環体を通して取付けた状態を示す正面図、図５は同実施例１に係る簡易着付用帯体Ｔにおける胴部に手先側から取付板を通して取着した状態を示す正面図、図６は取付板にスペーサを取付け、背面カバーを縫合して得られた本発明の実施例１に係る製品（簡易着付用帯体Ｔ）を示す正面図、図７は図６の背面図、図８は同実施例１に係る簡易着付用帯体Ｔにおける取付板を示す（ａ）拡大正面図及び（ｂ）拡大右側面図、図９は実施例１に係る簡易着付用帯体Ｔにおける取付板を示す（ａ）拡大底面図及び（ｂ）Ａ−Ａ断面図、図１０は同実施例１に係る簡易着付用帯体Ｔのスペーサ取付前の状態を示す（ａ）拡大右側面図及び（ｂ）Ｂ−Ｂ断面図、及び（ｃ）スペーサ取付後のＢ−Ｂ断面図、図１１は同実施例１に係る上側捲着ベルト及び下側ベルトを取着した取付板を示す説明図、図１２は同実施例１に係る上側捲着ベルト及び下側ベルトを取着した取付板に胴部を通した状態を示す説明図である。
また、図１３は本発明の実施例２に係る簡易着付用帯体Ｔを示す正面図、図１４は同実施例２に係る（ａ）簡易着付用帯体Ｔの背面カバー１０を背中へ当接した状態を示す説明図（ｂ）簡易着付用帯体Ｔの上側捲着ベルトを胸部で係着した状態を示す説明図、図１５は同実施例２に係る（ａ）簡易着付用帯体Ｔの胴部を捲きつけた状態を示す説明図、（ｂ）簡易着付用帯体Ｔの下側ベルトと環体側ベルトを前方へ引出した状態を示す説明図、図１６は同実施例２に係る（ａ）簡易着付用帯体Ｔの下側ベルトと環体側ベルトを係着した状態を示す説明図、（ｂ）簡易着付用帯体Ｔを装着した状態を示す説明図、図１７は本発明の実施例１に係る捲着ベルトを取着した取付板に薄手の胴部を通した状態を示す説明図である。
【００３４】
（実施例１）
本発明の実施例１に係る簡易着付用帯体Ｔは、図６及び図７に示すように、一本の着付用帯体１を切断することなく折り畳んで縫着し、これに取付板１８、上側捲着ベルト６ｈ、６ｉ、下側ベルト６ｊ、環体８、環体側ベルト８３、背面カバー１０を取着してなる簡易着付用帯体Ｔである。
【００３５】
本発明の実施例１の簡易着付用帯体Ｔにおける着付用帯体１は、図１乃至図３に示すように、全長４５０ｃｍ程度であり、太鼓部２を形成する１２０ｃｍ程度（帯模様によって異なる）の帯全巾からなる太鼓形成部２ｂと、後に前記太鼓形成部２ｂに連接するよう直交に折り畳まれる三角折曲部３、及び、後に半巾とされる胴部４と、手先部５から構成される。
【００３６】
また、前記太鼓形成部２ｂにおける端部は垂れ部２ａを形成し、前記手先部５における端部は手先端部５ｂとする。
【００３７】
取付板１８は、図８乃至図１０に示すように、厚さ２ｍｍ程度の合成樹脂板で形成してあり、四本の腕部１８１と該腕部１８１の各基端が連結される基部１８２とからなり、正面視略Ｈ字状を有する。本実施例では合成樹脂材料としてポリエチレンを使用している。
【００３８】
対向する二つの腕部１８１相互は平行ではなく、正面視において先端側が相対的に外方へ開いた状態としてある。腕部１８１の各先端近傍（合計四箇所）には上側捲着ベルト６ｈ、６ｉ若しくは下側ベルト６ｊを取付けるための連結部である取付穴１８０を形成してある。
【００３９】
前記取付穴１８０は、弧状の長穴とし、該長穴の弧の長さが、前記上側捲着ベルト６ｈ、６ｉ若しくは下側ベルト６ｊの幅寸法よりも大きいものとしている。
【００４０】
取付穴１８０のうち、上側の左右に配置した取付穴１８０は、上側捲着ベルト６ｈ、６ｉの基端を取付けるものであり、下側の取付穴１８０の一方は、対をなす下側ベルト６ｊにおける基端を取付けるものである。尚、下側の取付穴１８０のうち一方は、本実施例において使用しない。Ｈ字状の取付板１８の取付穴１８は一つ余るが、取付板１８の表裏を気にすることなく上側捲着ベルト６ｈ、６ｉ若しくは下側ベルト６ｊを取付けることができるので、製作時の作業性が高まる利点がある。また、取付板１８が左右対称であることで、着用時の違和感も生じにくいものとすることができる。
【００４１】
また、腕部１８１の上下に亘って連続して、胴部４を通すための帯通し手段１８３を形成してある。帯通し手段１８３は、二箇所に設けたループ部１８５と各ループ部１８５に着脱可能なスペーサ１８４を備えてなる。尚、スペーサ１８４は使用する着付用帯体１の厚さに応じた数種類の厚さを有するものを用意してあり、最適なものを選択して使用する。
【００４２】
ループ部１８５は、取付板１８の背側面に平行して二箇所形成してある。一つのループ部１８５は背側面から起立する二つの起立部１８７と該起立部１８７の先端同士を繋ぐループ板１８６とからなる。
【００４３】
前記スペーサ１８４は、ループ板１８６の内面側に重合可能な板状体である。互いに当接するループ板１８６の内面とスペーサ１８４の外面には雌雄の係合手段を設けてあり、ループ板１８６に対してスペーサ１８４が横ずれしない構成としてある。
【００４４】
本実施例における前記雌雄の係合手段としては、ループ板１８６の内面には凹部１８９を設けており、スペーサ１８４の外面には前記凹部に対して嵌合可能な突部１８８を設けている。
スペーサ１８４は、ループ部１８６における胴部４を通す空間１９１の大きさを調節し、胴部４を確実に固定するためのものである。
【００４５】
本実施例１に係る簡易着付用帯体Ｔは、二本一組となる上側捲着ベルト６ｈ、６ｉ、一本の下側ベルト６ｊと該下側ベルトと組となる環体側ベルト８３を有する。上側捲着ベルト６ｈ、６ｉ、下側ベルト６ｊ、環体側ベルト８３のいずれとも、伸縮性を有するベルト部材６０と該ベルト部材６０の先端に取付けた止具６１とを有する。組となる止具６１は相互が係脱可能となる。本実施例における止具６１は合成樹脂からなる公知のものを使用しており、相互の雌雄係脱手段によって着脱可能な構成となっている。また、上側捲着ベルト６ｈ、環体側ベルト８３には、公知の長さ調節手段６ｎを設けてある。
【００４６】
環体８は、図４に示すように、合成樹脂で形成してあり、胴部４を通す帯体通し穴８０と、下側ベルト６ｋの基端を取付けるための基端通し穴８１と、前記帯体通し穴８０及び基端通し穴８１の間に形成される抜き穴８２とを備えた構成である。
【００４７】
当該環体８の構成によって、胴部４を持ち上げなくても環体８をハンドルとして機能させ、胴部４を持ち上げなくとも環体８を引っ張り上げることで胴部４全体を腹部乃至胸部位置まで簡単に引き上げることができ、着付け作業をより容易とすることができる。
【００４８】
また、環体８に抜き穴８２を形成したことによって、着付け中に環体８を使いづらい状況が生じた際にも、着用者の指が抜き穴８２を通して、基端の位置を把持し易くなり、より簡単に簡易着付用帯体Ｔを着用することができる。
【００４９】
環体８の基端通し穴８１には、環体側ベルト８３における基端を取付けてある。当該構成によって基端の位置を固定した上で、上側捲着ベルト６ｈ、６ｉ及び下側ベルト６ｊを使用するため、基端の位置が不慮に変わることがなく、より一層着用時の作業性を向上させることができる。
【００５０】
本実施例１に係る簡易着付用帯体Ｔは、以上の構成を有する各部材によって、以下に示す過程で製作できる。図１に示す本実施例１に係る一本の着付用帯体１の三角折曲部３を境として、帯巾を有する太鼓形成部２ｂと長手中央ラインを谷折して半巾とした胴部４とを、直交状に折り畳んだ構成とする（図２参照。）。
【００５１】
帯模様を図面の裏側にして配置される前記着付用帯体１は、前記三角折曲部３の先端部から前記手先部５における前記手先端部５ｂにかけて、帯模様が前記着付用帯体１の表側となるよう、裏側同士を合わせ、前記手先端部５ｂにてそれぞれの端片同士を縫い目が目立たないよう絎け縫い部１ａにて縫着し、半巾とする。このように縫着しておくことによって、前記着付用帯体１は容易に折り畳むこともできるし、それぞれの端片がばらつくこともなく、体裁もよい。
【００５２】
次に、図２の矢印に示すように、着付用帯体１の三角折曲部３及び胴部４を図２の二点差線（太鼓形成部２ｂの下端側を幅方向に延びるライン）で示す谷折線Ｅで折曲して上方へ反転させる（図３参照。）。そして三角折曲部３及び胴部４を反転した状態において、胴部４の長手中央近傍を谷折し、手先側から胴部４へ環体８の帯体通し穴８０を通す。
【００５３】
取付板１８を同様に、手先側から胴部４を取付板１８のループ部１８５に通す。取付板１８の取付穴１８０には予め図１１に示すように一対の上側捲着ベルト６ｈ、６ｉの各基端と、一本の下側ベルト６ｊの基端６ｍを取付けてある。取付穴１８０への各基端６ｍの取着は、該基端６ｍに抜け止め処理を行っている。抜け止め処理は、樹脂部材を固着することにより行う。
【００５４】
取付板１８の固定は、図１２に示すように、ループ板１８６と胴部４の間に前記したスペーサ１８４を取付板１８の側方から嵌め込み、胴部４を強く押圧挟持することで行う。尚、胴部４が薄手であれば、図１７に示すように、スペーサを用いずに正面穴１９０からループ板１８６を経由して再度正面穴１９０へ導出する取付方法も可能である。
スペーサ１８４のはめ込みによって押圧された胴部４の一部は、図１２の一部拡大図に示すように、取付板１８の正面穴１９０から僅かにはみ出す状態となり、正面穴１９０と胴部４との接触によってより一層確実に固定される。
【００５５】
以上の構成によって、取付板１８は、折り返した胴部４のうち前記三角折曲部３と重なる箇所に取着する。
【００５６】
更に、背面カバー１０を取付板１８上に被覆し、縫着する。本実施例においては、背面カバー１０の下縁は垂れ部２ａの裏面にかかる程度の位置として、三角折曲部３に縫着する。
【００５７】
以上の工程で、太鼓部２が形成されておらず、垂れ部２ａの長さが定まっておらず、手先部５の長さが定まっていない状態となる本実施例１に係る簡易着付用帯体Ｔが完成する。
【００５８】
以上の本実施例１に係る簡易着付用帯体Ｔの構成によれば、上側捲着ベルト６ｈ、６ｉ及び下側ベルト６ｊを利用した装着の容易な構成を確保した上で、着用者の好みに応じて、太鼓部２、垂れ部２ａ、手先部５のサイズを自由に設定することができるため、ある程度着付けができる着用者にとって、着付けの煩わしさが解消できるだけでなく状況や用途に応じて好みのスタイルとすることができる点で非常に優れる。
【００５９】
（実施例２）
一方、本実施例２に係る簡易着付用帯体Ｔは、実施例１に係る簡易着付用帯体Ｔが完成した状態から、更に、太鼓部２、手先部５、垂れ部２ａを縫合により固定した構成を有するものである（図１３参照。）。手先部５は、太鼓部２内を通すこともできるし、太鼓部２と三角部３の間に通すこともできる。また、着用者のサイズに応じて適宜折り返すこともできる。
【００６０】
上記実施例１及び実施例２によれば、取付穴１８０への各捲着ベルト６（即ち、６ｈ、６ｉ、６ｊ）の基端６ｍの取着は、取付穴１８０へ各基端６ｍを通して折り返して捲着ベルト６の基端側に輪を形成することで取着しているが、本発明はこれに限るものではなく、該基端６ｍに樹脂部材を固着する抜け止め処理を行うこともできるし、取付穴１８０へ各基端６ｍを通した後に該基端６ｍに抜け止めとなる金属製部材を取着することもできる。
【００６１】
また、取付板１８の形状は、本実施例１、２に示したものに限らず、例えば矩形状枠体等とすることもできる。また、本実施例１のように、取付板１８に取付穴１８０を設けることは必ずしも要せず、例えば、上側捲着ベルト６ｈ、６ｉ若しくは下側ベルト６ｊの取着は、基端と取付板１８とを重ね、該基端と取付板１８とを針で貫通し、縫着する構成とすることもできる。
【００６２】
しかしながら、本実施例のように正面視外形輪郭を略Ｈ形状とすることによっては、着用者の背中への干渉を極力防止でき、Ｈ字形状が背中の動きにフィットしやすいので、違和感を覚えさせず、機能的である点で優れる。
【００６３】
また、上記実施例１、実施例２においては、着用者が右利きにおける場合の簡易着付用帯体Ｔであったが、着用者が左利きにおける場合には、前記着付用帯体１における前記胴部４の位置を前記太鼓部２に対して対称になるようにして、折り畳んだ後、前記太鼓部２を形成すればよい。
【００６４】
（装着方法）
本実施例に係る簡易着付用帯体Ｔの装着は、図１４（ａ）に示すように、着物を着用した後に、太鼓部２側の背面カバー１０を着用者の背中に当接する。
そして図１４（ｂ）に示すように、上側捲着ベルト６ｈ、６ｉの夫々を脇下から胸部へ廻し、胸部前方で上側捲着ベルト６ｈ、６ｉの相互の止具を係止する。
【００６５】
ここで、実施例２に係る簡易着付用帯体Ｔは、予め太鼓部２を形成してあるため必要ないが、実施例１に係る簡易着付用帯体Ｔの場合には、太鼓形成部２ｂを折畳み、太鼓部２を形成する。
【００６６】
そして、実施例１、２のいずれにおいても、ハンドル形状の環体８を把持して、図１５（ａ）に示すように、着用者の前方側から胴部４を捲き付け、環体側ベルト８３と環体８を着用者の背側へ配置する。環体側ベルト８３及び環体８は太鼓部２の中を通す。尚、太鼓部２と三角折曲部３との間を通すこともできる。
【００６７】
更に、図１５（ｂ）に示すように、環体側ベルト８３を着用者の前方へ取り出し、図１６（ａ）に示すように、該環体側ベルト８３の止具と、取付板１８に取着された環体側ベルト８３の止具とを、胴部４の下方で係着する。
【００６８】
上側捲着ベルト６ｈ、６ｉ、環体側ベルト８３のいずれも伸縮性を有するベルト部材６０と長さ調節手段６ｎを備えているため、一度長さ調節手段６ｎによって着用者の体型に適合した長さとしておくことで、最適な締め付け具合をいつでも実現できる。また長さ調節手段６ｎは下側ベルト６ｊに設けることもできる。
【００６９】
図１６（ｂ）に示すように、上側捲着ベルト６ｈ、６ｉは胴部４の上方から胴部４の内側へ導入することで、外観上目立たなくすることができる。同様に、下側ベルト６ｊ及び環体側ベルト８３は胴部４の下方から胴部４の内側へ導入することで、外観上目立たなくすることができる。
【００７０】
尚、上記実施例１、２については胴部４を左側から右側へ捲く例を示したが、右側から左側へ捲くように、三角折曲部３から胴部４の方向を反転させた構成とすることもできる。
【図面の簡単な説明】
【００７１】
【図１】本発明の実施例１に係る簡易着付用帯体を構成する着付用帯体の折畳み箇所を示す正面図である。
【図２】本発明の実施例１に係る簡易着付用帯体における着付用帯体を、太鼓形成部と半巾とした胴部とを直交状に折り畳んだ状態とした正面図である。
【図３】本発明の実施例１に係る簡易着付用帯体における着付用帯体の三角折曲部及び胴部を上方へ反転させた状態を示す説明図である。
【図４】本発明の実施例１に係る簡易着付用帯体における胴部を長手方向に折り返し、手先側から胴部へ環体を通して取付けた状態を示す正面図である。
【図５】本発明の実施例１に係る簡易着付用帯体における胴部に手先側から取付板を通して取着した状態を示す正面図である。
【図６】本発明の実施例１に係る簡易着付用帯体を示す正面図である。
【図７】本発明の実施例１に係る簡易着付用帯体を示す背面図である。
【図８】本発明の実施例１に係る簡易着付用帯体における取付板を示す（ａ）拡大正面図及び（ｂ）拡大右側面図である。
【図９】本発明の実施例１に係る簡易着付用帯体における取付板を示す（ａ）拡大底面図及び（ｂ）Ａ−Ａ断面図である。
【図１０】本発明の実施例１に係る実施例１に係る簡易着付用帯体のスペーサ取付前の状態を示す（ａ）拡大右側面図及び（ｂ）Ｂ−Ｂ断面図、及び（ｃ）スペーサ取付後のＢ−Ｂ断面図である。
【図１１】本発明の実施例１に係る上側捲着ベルト及び下側ベルトを取着した取付板を示す説明図である。
【図１２】本発明の実施例１に係る捲着ベルトを取着した取付板に胴部を通した状態を示す説明正面図、Ｃ−Ｃ説明断面図、及びその一部拡大図である。
【図１３】本発明の実施例２に係る簡易着付用帯体を示す正面図である。
【図１４】本発明の実施例２に係る（ａ）簡易着付用帯体の背面カバー１０を背中へ当接した状態を示す説明図（ｂ）簡易着付用帯体の上側捲着ベルト６ｈ、６ｉを胸部で係着した状態を示す説明図である。
【図１５】本発明の実施例２に係る（ａ）簡易着付用帯体の胴部を捲きつけた状態を示す説明図、（ｂ）簡易着付用帯体の下側ベルトと環体側ベルトを前方へ引出した状態を示す説明図である。
【図１６】本発明の実施例２に係る（ａ）簡易着付用帯体の下側ベルトと環体側ベルトを係着した状態を示す説明図、（ｂ）簡易着付用帯体を装着した状態を示す説明図である。
【図１７】本発明の実施例１に係る捲着ベルトを取着した取付板に薄手の胴部を通した状態を示す説明図、Ｄ−Ｄ説明断面図、及びその一部拡大図である。
【符号の説明】
【００７２】
１      着付用帯体
１ａ    絎け縫い部
２      太鼓部
２ａ    垂れ部
２ｂ    太鼓形成部
３      三角折曲部
４      胴部
４ａ    折返し部
５      手先部
６      捲着ベルト
６０    ベルト部材
６１    止具
６ｈ    上側捲着ベルト
６ｉ    上側捲着ベルト
６ｊ    下側ベルト
６ｍ    基端
６ｎ    長さ調節手段
７      紐部
８      環体
８０    帯体通し穴
８１    基端通し穴
８２    抜き穴
８３    環体側ベルト
１０    背面カバー
１１    簡易着付用帯体
１２    紐部
１８    取付板
１８０  取付穴
１８１  腕部
１８２  基部
１８３  帯通し手段
１８４  スペーサ
１８５  ループ部
１８６  ループ板
１８７  起立部
１８８  突部
１８９  凹部
１９０  正面穴
Ｅ      谷折線
【図１】
0005031456.tif 000002
【図２】
0005031456.tif 000003
【図３】
0005031456.tif 000004
【図４】
0005031456.tif 000005
【図５】
0005031456.tif 000006
【図６】
0005031456.tif 000007
【図７】
0005031456.tif 000008
【図８】
0005031456.tif 000009
【図９】
0005031456.tif 000010
【図１０】
0005031456.tif 000011
【図１１】
0005031456.tif 000012
【図１２】
0005031456.tif 000013
【図１３】
0005031456.tif 000014
【図１４】
0005031456.tif 000015
【図１５】
0005031456.tif 000016
【図１６】
0005031456.tif 000017
【図１７】
0005031456.tif 000018